(57)【要約】【課題】  地球温暖化と共に生存する人々は、温暖化という生存に拘わる最重要課題である。然るに、京都議定書すら締結できない情況にある。世界は平和のみで生存できない理由を環境学を通じて徹底的に教える教育を確立して普及することが焦眉の急である。【解決手段】  化学物質や農薬などの規制の徹底した京都議定書に準じた議定書を作定することが急務である。従って、先進国が責任ある行動を取らない限り地球は破滅の域を超えられないであろう。【選択図】  図１
2006115677.tif 000002
【特許請求の範囲】
【請求項１】
水が発生する水電気を直接又はリード線を介して電導体に誘導印加して、暖房エネルギーなどに利用することを特徴とした水電気の利用方法。
【請求項２】
植物が発生する植物電気を直接又はリード線を介して電導体に誘導印加して、暖房エネルギーとすることを特徴とした植物電気の利用方法。
【請求項３】
土壌（土）より発生する土壌電気を直接又はリード線を介して電導体に誘導印加して、暖房エネルギーとすることを特徴とした土壌電気の利用方法。
【請求項４】
電導体にビニールシート材などを加えて静電気エネルギーの活性化と保温の促進を図り、以って暖房力のアップすることを特徴とした請求項１，２，３の水と植物と土壌電気の利用方法。
【発明の詳細な説明】
【技術分野】
【０００１】  生活環境の改善と健康社会の創作に関する。
【背景技術】
【０００２】  現下の自然や生活環境の悪化は目に余る有様である。即ち、農薬、化学物質、食品添加物、殺虫剤、化学薬品、騒音、電磁波、感染などの公害に加えて二酸化炭素などによる温暖化によるものであるが、いずれも現下の技術では全て対象療法的なものである。
【発明の開示】
【発明が解決しようとする課題】
【０００３】  今や地球的な大問題である二酸化炭素による地球温暖化は、「言うは安く、実行は不可能に近い」話である。
従って、人類全ての人が、その気になっての努力が必要であるが、本発明は、ささやかながら自然力を用いて温暖化の抑制に資するものである。
【課題を解決するための手段】
【０００４】概念
水や植物や土壌が有する電気的エネルギーを人の生活環境に組入れて、現下の電気エネルギーの削減を図り、以って、人の健康と長寿を図る極めてシンプルな思考方法である。即ち、電磁波のない自然エネルギーで生活環境の改善から生まれる電気力の削減で地球温暖化の抑制に寄与する解決手段とする。【０００５】電導体
電導体とは、電気や熱などを運ぶ全ての導体を言う（金属、導電布、炭素繊維、磁石）【０００６】適用形態
自然環境が有する、自然の電気エネルギーを人の生活環境に導入して、ささやかながら自然環境の改善に寄与するものである。即ち、自然が有する能力で自然環境の改善を図るという極めて無責任的な方法である。人と言う生物は極めて勝手な動物である。即ち、自然環境の悪化責任は全て人間の生存結果であるにも拘わらず自然力を利用すると言う発想は自然力の偉大さを知る者の発想である。係る経緯を熟知の上で本発明が生まれた適用形態である。
【発明の効果】
【０００７】  今日社会の生活や食物環境は極めて悪化の一途にある。即ち、農薬、化学物質、食品添加物などに冒され通しの中にあって、化学、科学という先達思考が優先している嘆かわしい時代である。
自然環境や生活環境の改善は、パラダイムを改めて媒達思考で自然環境を観察し反省を以って対処するのが人の知恵である。
本発明は、全く媒達思考から生まれた生活環境の改善の一環であるが、このような機運が醸成されることを大いに期待と効果で歓迎するものである。
【発明を実施するための最良の形態】
【０００８】  本発明は、自然が有するエネルギーを環境改善の一環として生まれたものである。即ち、自然力を生活に組入れた極めて新しい創作スタイルである。
自然環境の改善は自然環境の観察から始まり熟知することが先決である。自然は、人が知る以上に偉大で優しい住み処である。
水も森林も植物も全て電気エネルギーを有し、土壌も土も全て電気エネルギーを有している。即ち、人は全て電気空間に生活、生存している動物である。
従って、水や植物や土から発生する優しいエネルギーを誘導して利用する方法を考えるのは当然的な人の知恵である。即ち、努力すれば誰でも考えられる程度の創作である。
従って、水や植物や土壌により発生する電気的エネルギーを直接、又はリード線を介して金属体や伝導体などに配線、配設して対象生体との反応が本発明の最良形態である。
即ち、水や植物や土壌の発生するエネルギーを電導体に誘導すると電導体に滞留（蓄電）すると生体（人）との熱刺激や摩擦刺激が熱反応となり暖かさを体感するのである。（ポカポカ現象）而して、この反応が如何なる理由に依るものか確証は未定である。
従って、解明は今後の課題であるが恐らく一種の静電作用による反応とも考えられるが不明である。いずれにしても実験効果から考えると人体には有効的である理由は複数の人体の改善作用が実態的に認められているからである。目下、動物（ラット、マウス）実験を持って解明の最中にあると言わざるを得ない。
従って、用途面や利用面は多種多様に亘り、且つ多面的であり寝具実験などでは、約１〜３度アップの体感温度がポカポカ温度で春の日溜りを感じる心地が共通している。即ちこれが、自然力と人との親和性たる所以である。
従って、将来的には、自然エネルギーによる、融雪効果なども大いに期待のできる範疇である。このような自然エネルギーの活用方法は、国際的にも全く例を見ない画期的な本発明である。
【実施例１】
【０００９】  以下、実施例、実施方法は発明思想の態様について説明するが、例示は単なる説明用のもので発明思想の制限又は限定を意味するものではない。
【実施例２】
【００１０】  図２に示す寝床での暖房は、畳と敷布団との間にアルミシートをビニールシート袋に装着した電導体（１）を挿入して地下（土壌内）よりアース棒（５）よりリード線を引込み電導体（１）に接続印加すると即、ポカポカ現象により保温効果が確認できる。
【実施例３】
【００１１】  図３に示すジュウタンの下にビニールシート袋に装着したステンレス板を挿入した電導体（１）に地下アース棒より接続印加すると即、ポカポカ現象の保温効果が確認できる。
【実施例４】
【００１２】  図４に示す二階の客間の畳と床板の間にビニールシート袋に装着したステンレス板（１００×２００ｃｍ）の電導体に植物体（８）よりリード線を介して接続印加すると畳や座布団、敷布団など全てがポカポカ現象の保温効果を甘受することができる。
【実施例５】
【００１３】  図５に示す船上より海水中に鉄棒を水中に浸して、リード線を介して電導体に接続印加して水が発生する水電気を暖房エネルギーとして利用する。（導電布毛布、導電シーツ、座布団、コタツ）
【実施例の説明】
【００１４】実施方法
本発明による利用方法は多岐、多様の用途がある。即ち、生活の多様化や習慣の違い、国民性により利用方法は多岐に亘るが、植物や土壌エネルギーを用いる手段が、思想的な創作技術である。従って、それぞれの手法、手段、段取りを以って実施できる極めてシンプルな自然力の活用を生活環境に取り入れた方法である。
【図面の簡単な説明】
【００１５】
【図１】  本発明の実施例（電導体）を示す斜視図
【図２】  本発明の実施例（土壌よりアース棒、リード線を介して床板と畳の間に電導体を取付けた状態を示す）を示す断面図
【図３】  本発明の実施例（土壌よりアース棒、リード線を介して畳とジュウタンの間に電導体を取付けた状態を示す）を示す断面図
【図４】  本発明の実施例（樹木よりリード線を介して２階の床板と畳の間に電導体を取付けた状態を示す）を示す断面図
【図５】  本発明の実施例（海中より鉄棒、リード線を介して船中に電導体を取付けた状態を示す）を示す断面図
【符号の説明】
【００１６】  １  電導体
２  リード線
３  畳
４  床板
５  アース棒
６  土壌
７  じゅうたん
８  植物体
９  船
１０  鉄棒
１１  海中
１２  二階建て建物
【図１】
2006115677.tif 000003
【図２】
2006115677.tif 000004
【図３】
2006115677.tif 000005
【図４】
2006115677.tif 000006
【図５】
2006115677.tif 000007